(57)【特許請求の範囲】
【請求項１】
ネットワークマネージメントステーションがＳＮＭＰネットワーク装置のマネージメントインフォメーションベースグループテーブルを読み取り又は設定する前に、
前記ＳＮＭＰネットワーク装置にプレビュー機能を有するプレビューパケットを送信し、
前記ＳＮＭＰネットワーク装置が前記プレビューパケットを受信すると、マネージメントインフォメーションベースグループのＳＮＭＰ協定をサポートする項目を１個の応答パケットで前記ネットワークマネージメントステーションまで送信し、
前記ネットワークマネージメントステーションが前記応答パケットを分析し前記ＳＮＭＰネットワーク装置の前記マネージメントインフォメーションベースグループのサポートする項目を確認するネットワークの管理方法であって、
前記応答パケットは、ＰＤＵフォームを使用し、ＰＤＵ可変長さ（N）及びＰＤＵ可変２進単位ストリングを有し、前記ＰＤＵ可変長さ（Ｎ）は１個の整数であり、標準のＰＤＵのヘッド部の内容であり、前記ＰＤＵ可変２進単位ストリングはｏｃｔｅｃｔストリングであり、値が[１．．．Ｎ]を使用し、Ｎ≧１であることを特徴とするネットワークの管理方法。
【請求項２】
前記ＰＤＵ可変２進単位ストリングは、複数の１及び０をメモリーできる欄を有し、１は前記マネージメントインフォメーションベースグループテーブルの中で前記ＳＮＭＰ協定をサポートするインデックスを表し、０は前記マネージメントインフォメーションベースグループテーブルの前記ＳＮＭＰ協定をサポートしないインデックスを表すことを特徴とする請求項１に記載のネットワークの管理方法。
【請求項３】
前記ＰＤＵ可変２進単位ストリングは、複数のすべての前記ＳＮＭＰ協定をサポートするインデックスの欄を有することを特徴とする請求項１に記載のネットワークの管理方法。
【請求項４】
前記ＰＤＵ可変２進単位ストリングは、複数のすべての前記ＳＮＭＰ協定をサポートしないインデックスの欄を有することを特徴とする請求項１に記載のネットワークの管理方法。
【請求項５】
前記ＰＤＵ可変２進単位ストリングの欄に１個の２進単位ストリングで前記マネージメントインフォメーションベースグループテーブルの前記ＳＮＭＰ協定をサポートするインデックスを記録し、２進単位ストリングで１個のインデックスを表し、前記ＳＮＭＰ協定をサポートするインデックスと対応する２進単位を１と設定することを特徴とする請求項１に記載のネットワークの管理方法。
【発明の詳細な説明】
【０００１】
【発明の属する技術分野】
本発明は、ネットワークの管理方法に関する。
【０００２】
【従来の技術】
近年、ネットワーク世界の勢いが盛んであるため、様々なネットワーク装置が絶えず開発されている。しかも、各業界が生活及び仕事環境に汎用され、情報流通の速度及び効率を向上している。このため、人間の生活及び仕事が非常に便利になっている。しかしながら、多くのネットワーク装置は、ネットワークの管理人に様々な管理上の問題をもたらしている。
【０００３】
現在、企業内部の情報流通としてエリアネットワーク又はインターネットを使用している業者は、ネットワークの管理者が多くのネットワーク装置（Network Device or Network Agent）を有効に管理するため、普通、ネット装置にシンプルネットワーク管理協定（Simple Network Management Protocol、ＳＮＭＰと略称する）をインストールし、ネットワークマネージメントステーション（Network Management Stations）によりネットワークのＳＮＭＰネットワーク装置の設定及び管理を行っている。シンプルネットワーク管理協定により管理人が遠隔でコンピューターを利用し、ネットワークを通じＳＮＭＰネットワーク装置の設定画面に入り、設定、訂正及び管理を行う。しかしながら、管理人は、正確にＳＮＭＰネットワーク装置の設定画面に入るために、ネットワーク装置のＩＰアドレスを確実に知っていなければならない。しかも、ＳＮＭＰネットワーク装置は他のＳＮＭＰネットワーク装置と同一のＩＰアドレスを使用することができないため、ネットワークの管理人はＳＮＭＰネットワーク装置の予め設定されているＩＰアドレスを知っていなければならず、ＩＰアドレスの設定及び管理の概念と能力とを備えていることが必要である。
【０００４】
従来より、ネットワークの管理人がネットワークによりＳＮＭＰに関連するツールを利用し、各ＳＮＭＰネットワーク装置の保守管理を行うとき、３項目の基本機能のみを有する。図１に示すように、マネージメントインフォメーションベース（Management Information Base、以下、ＭＩＢと略称する）の読み取り（ＳＮＭＰGet）、マネージメントインフォメーションベースの設定（ＳＮＭＰSet）及び次のマネージメントインフォメーションベースの読み取り（GetＮＥＸＴ）の機能である。前述の３個の基本機能以外に他の特別なより実用的な能力を有していないため、現在、大部分のネットワーク管理人及びネットワーク管理ツールの開発業者は、ＳＮＭＰネットワーク設備より提供されるＭＩＢの内容をＭＩＢファイルの読み取りにより、その項目を了解することしかできない。このため、大部分のネットワーク管理人及びネットワーク管理ツールの開発業者は、すべてのＳＮＭＰネットワーク装置が提供する内容を確認するとき、ＭＩＢファイルを読み取ることによりその項目を確認する。大部分のネットワーク管理人及びネットワーク管理ツールの開発業者は、前述の３項目の機能と３項目の機能の組み合わせとを利用し、希望するネットワーク管理を行う。管理工具を開発する人の立場では、３項目の機能と３項目の機能の組み合わせとによる管理ツールは、ＳＮＭＰネットワーク装置に対しよりよいネットワーク管理機能を実現できない。特に、現在のネットワーク管理ツールは、すべてのネットワーク装置に対しネットワーク装置のＭＩＢにＳＮＭＰを支援する項目が確実にあるかをプレビューできず、提供されるＭＩＢファイルを通じネットワーク装置のＭＩＢにＳＮＭＰを支援する項目があることを確認できない。その他、ＲＦＣの標準規格は豊富なＭＩＢ内容を提供するが、ネット設備は一部分の機能又はグループテーブルのいくつかの項目のみをサポートするだけである。このため、前述の状況が発生する場合、ＭＩＢブラウザーを利用し、ＭＩＢを読み取る（又は設定する）と、グループの中にＳＮＭＰの項目が存在しないため、読み取り（又は設定）が失敗する恐れがある。現在までに、前述の現象に対する対策を開発し、有効に改善するネットワーク管理ツールの開発業者はいない。
【０００５】
なお、従来のネットワークマネージメントステーションは、ネットワーク管理ツールを利用し、ネットワーク装置のＭＩＢのグループへマネージメントインフォメーションベースの読み取り（ＳＮＭＰGet）又はマネージメントインフォメーションベースの設定（ＳＮＭＰSet）の信号を送信することによりＭＩＢを読み取り又は設定するとき、一般に、オールグループをＳＮＭＰにサポートするとみなす。ネットワーク装置は、一部分の機能のみサポートする又は所定の項目がＳＮＭＰをサポートしないとき、ＯＩＤがない間違った信号を受け取り、一番目のＳＮＭＰをサポートしない項目のみしか確認できない。このため、ミステーク試験方法を利用し、ミステークを追跡することによりすべてのサポートしない項目を見つけ、正確にＭＩＢの読み取り又は設定を完了する。
【０００６】
すべてのサポートしない項目を迅速に発見し、ネットワーク装置の設定及び管理作業をより簡易化し、作業時間を短縮することにより、管理側が様々な位置に分布されている様々なネットワーク装置の項目を簡単および迅速に管理することはネットワーク装置の管理で重要な課題となっている。
【０００７】
【発明が解決しようとする課題】
そこで、本発明の目的は、簡単および迅速にネットワークを管理できるネットワークの管理方法を提供することにある。
【０００８】
【課題を解決するための手段】
本発明請求項記載のネットワークの管理方法によると、ネットワークマネージメントステーションがＳＮＭＰネットワーク装置のＭＩＢグループテーブルを読み取り又は設定する前に、ネットワーク装置にプレビュー機能（Preview facility）を有するプレビューパケットを送信する。ネットワーク装置がプレビューパケットを受信すると、ＭＩＢグループのＳＮＭＰ協定をサポートする項目を１個の応答パケットでネットワークマネージメントステーションまで送信する。ネットワークマネージメントステーションは応答パケットを分析することによりネットワーク装置のＭＩＢグループのサポートする項目を確認する。したがって、従来のような、続けて行うミステーク試験のミステーク追跡手順を避けられるので、ネットワークの管理人は、ネットワークマネージメントステーションでＭＩＢブラウザー又はその他のネットワークツールを利用し、ネットワーク設備により効率的にネットワーク管理を行うことができ、正確にＭＩＢの読み取り及び設定を行うことができる。さらに、読み取り及び設定の失敗を大幅に減少できる。
【０００９】
【発明の実施の形態】
現在、ネットワークの世界で様々なネットワーク装置が既に使用されている。ネットワーク装置で提供されるマネージメントインフォメーションベースは、より複雑になり、増加しているため、ネットワーク装置にＳＮＭＰ協定が提供する規制は、前述の従来の３項目の基本操作機能に限られている（マネージメントインフォメーションベースの読み取り、マネージメントインフォメーションベースの設定及びマネージメントインフォメーションベースの読み取り）。ネットワーク管理機能は、改善が行なわれないと、現在のネットワールドの発展趨勢に対応できなくなる。そこで、ＳＮＭＰネットワーク装置が提供する規制にプレビュー機能を設ければ、ネットワークマネージメントステーションより管理を行うとき、その規制を通じ予めＳＮＭＰネットワーク装置のＭＩＢグループテーブル（ＧＲＯＵＰ  ＴＡＢＬＥ）に提供するＳＮＭＰを支援する項目を確認でき、１回のパケット送受信によりＳＮＭＰネットワーク装置に提供するＳＮＭＰを支援する項目を確認でき、次の送受信を行うとき、ネットワーク装置の管理を完全に把握できる。ネットワークの管理人及びネットワークプログラムの業者は、ＳＮＭＰネットワーク装置にプレビュー機能を設け、園中にＳＮＭＰをサポートする項目が確認できれば、便利であり効率が良いネットワーク管理ツールを開発できる。
【００１０】
以下、本発明の実施の形態を図面に基づいて説明する。
図２に示すように、本発明の一実施例によるネットワークの管理方法によると、ネットワークの管理人は、ネットワークマネージメントステーションでＭＩＢブラウザー又はその他のネットワーク管理ツールを利用し、ネットワーク上の複数のネットワーク装置の効率的な管理を行う。設定又は読み取り失敗の現象を減少するため、ＭＩＢブラウザー又はネットワーク管理ツールはプレビュー機能を備える。プレビュー機能は、ＳＮＭＰ協定を通じ１個のプレビューパケットをネットワークマネージメントステーションからネットワーク装置に送信する。ネットワーク装置がパケットを受信すると、ＭＩＢのサポート可能な項目をグループテーブルの形式でＭＩＢブラウザー又はその他のネットワーク管理ツールまで送信する。したがって、ネットワークマネージメントステーションは、グループテーブルよりネットワーク装置のサポート可能な項目を確認できる。マネージメントインフォメーションベースの読み取り（ＳＮＭＰGet）又はマネージメントインフォメーションベースの設定（ＳＮＭＰSet）信号をネットワーク管理ツールから所定のＭＩＢグループテーブルに送信する。ＭＩＢの読み取り又は設定前に、１個のプレビューパケットを送信し、返送された応答パケットを分析するため、サポートしない項目及び従来のように連続的に試験を行うミステーク試験のミステーク追跡手順が不要であるため、効率的に正確にＭＩＢの読み取り及び設定を行うことができる。
【００１１】
プレビュー機能はＳＮＭＰネットワーク装置とＭＩＢブラウザーに対応し、ＳＮＭＰネットワーク装置は、ＭＩＢグループのＳＮＭＰ協定をサポートするマネージメントインフォメーションベースをネットワークマネージメントステーションに通知する。このため、ネットワーク管理ツールを開発するエンジニアは、前述の規制を通じＭＩＢブラウザー又はその他の関連するネットワーク管理ツール（ＭＩＢ Tool）に対し、正確で操作が便利であるソフトツールを開発できる。現在市販されているネットワーク管理ツールは、ＳＮＭＰネットワーク装置のすべてのＭＩＢグループテーブルにアクセスするとき、前述の規制を達成するため、次のマネージメントインフォメーションベースの読み取り（GetＮＥＸＴ）を通じ一つ一つＭＩＢグループテーブルに本当にＳＮＭＰ協定をサポートする項目があるかを判断することしかできないため、一回ですべてを判断できない。なお、所定の状況で、どのグループテーブルも取れないとき、ＯＩＤの項目が実行されたかを正確に判断できない。逆に、プレビュー機能を有するパケットを１回送信すると、応答するパケットより各ＳＮＭＰネットワーク装置がグループテーブルの中でサポートする項目を確認でき、後処理によりＭＩＢを正確に読み取り又は設定することができる。上述の従来のネットワーク管理ツールを使用し、オールグループテーブルにアクセスを行うと、Ｎ回の処理動作を行わなければならない。本実施例のプレビュー機能を使用すると、２回の処理動作で完了できる。このため、本実施例は、従来のネットワーク管理ツールより向上している。本実施例は、ＳＮＭＰ協定を通じパケットを送受信するため、プレビュー機能を有するパケットはＳＮＭＰ協定の送受信規則に一致することが必要である。また、本実施例は、パケットの送受信フォームを設計及び定義し、基本フォームを下記に示す。
【００１２】
ネットワークマネージメントステーションから１個のＳＮＭＰ協定に一致するプレビューパケットを送信するとき、１個のＯＩＤストリングが付随する。ＯＩＤストリングは、ＭＩＢグループのＯＩＤ又はＭＩＢグループテーブルの入り口のＯＩＤであり、すなわち得るべきＭＩＢグループのグループテーブルの入り口のＯＩＤである。
【００１３】
ＳＮＭＰネットワーク装置は、プレビュー機能を有するパケットを受信するとき、プレビュー機能を有するパケットによる１個の応答パケットを送信する。応答パケットは図３ａのようなＰＤＵフォームを使用する。
ＰＤＵ可変長さは１個の整数であり、すなわち標準のＰＤＵのヘッド部の内容である。ＰＤＵ可変２進単位ストリングは、octectストリンであり、その値は[1．．．Ｎ]を使用する。かつＮ≧１である。
【００１４】
ＰＤＵフォームの所定のＭＩＢグループテーブルのＳＮＭＰにサポートする項目は８項目である。項目２、項目５及び項目６が実際にＳＮＭＰをサポート及び実行しないとき、プレビュー機能の応答パケットは図３ｂからｅのフォームによる内容を規定できる。
【００１５】
（１）ＰＤＵ可変２進単位ストリングの１番目のフォーム。
図３ｂに示すフォームであり、８項目の機能を含み、８個の２進単位セットがある。
１は、ＭＩＢグループテーブルのＳＮＭＰをサポートするインデックス（index）を表す。
【００１６】
０は、ＭＩＢグループテーブルのＳＮＭＰをサポートしないインデックスを表す。
（２）ＰＤＵ可変２進単位ストリングの２番目のフォーム。
図３ｃに示すフォームであり、５個の２進単位セットでＳＮＭＰをサポートするインデックスを記録する。返送する内容は、すべてのＳＮＭＰをサポートするインデックスである。
【００１７】
（３）ＰＤＵ可変２進単位ストリングの３番目のフォーム
図３ｄに示すフォームであり、３個の２進単位セットでＳＮＭＰをサポートしないインデックスを記録する。応答パケットの内容は、すべてのＳＮＭＰをサポートしないインデックスである。
【００１８】
（４）ＰＤＵ可変２進単位ストリングの４番目のフォーム。
図３ｅに示すフォームであり、１個の２進単位セットでＭＩＢグループテーブルの確実にＳＮＭＰをサポートする８項目のインデックスを記録する。グループは８項目より大きいとき、１個の２進単位セットを増加し、インデックスを記録する。推算によると、２進単位セットは１個のインデックスを表し、ＳＮＭＰをサポートするインデックスを１として設定する。
【００１９】
図４に示すように、予め所定のネットワーク装置でＲＦＣ．１２１３の規格のシステムグループ（System group）の項目を提供するかを知りたいとき、ネットワークマネージメントステーションからＳＮＭＰ協定に一致するプレビューパケットを送信する。プレビューパケットに付随するＯＩＤ値は１．３．６．１．２．１．１（即ち、システム値）である。ネットワーク装置は、プレビューパケットを受信すると、プレビューパケットにより１個の応答パケットを返送する。応答パケットの内容は、前述のフォームによる１個のＰＤＵ可変２進単位ストリングである。ネットワークマネージメントステーションは、２回のパケットを送信するだけでよい。１回目のパケットの送信は、ネットワーク装置のＭＩＢグループテーブルの確実にＳＮＭＰをサポートするインデックスをプレビューし、判断する。２回目パケットの送信は、ネットワーク装置へ正確な読み取り又は設定を行う。逆に従来のGetＮＥＸＴを使用すると、ネットワークマネージメントステーションから７回のパケットを送信し、ネットワーク装置のＳＮＭＰをサポートするインデックスを確認する。
【００２０】
図５に示すように、予め所定のネットワーク装置のＲＦＣ．１２１３の規格内のＩＰRouteTableの項目を提供するかを知りたいとき、ネットワークマネージメントステーションからＳＮＭＰ協定に一致するプレビューパケットを送信する。ＩＰRouteEntryのＯＩＤ値は１．３．６．１．４．２１．１を送信する値とする。ネットワーク装置はプレビューパケットを受信すると、プレビューパケットにより１個の応答パケットを返送する。応答パケットの内容は確実にＳＮＭＰをサポートするインデックスを表す。
【００２１】
逆に従来のＳＮＭＰGetＮＥＸＴを使用すると、ネットワークマネージメントステーションから１０数回のパケットを送信し、ネットワーク装置の中にＳＮＭＰをサポートするインデックスを確認する。
上述によって、本発明を利用すると、ネットワークマネージメントステーションはネットワーク装置のグループテーブルにサポートするＳＮＭＰインデックスを確認できる。ネットワーク装置を管理するとき、ＭＩＢブラウザーを利用し、直接各ネットワーク装置に接続することにより動作セットアップ（setup）を実行できるので、設定作業を有効に完了できる。したがって、ネットワーク上の多くのネットワーク設備のネットワーク管理を行うとき、本発明により多くのパケットの送受信を判断する時間を減少でき、ネットワーク管理ツールの設計及び使用の利便性を大幅に向上できる。さらに、ネットワーク管理の効率を向上できる。
【図面の簡単な説明】
【図１】従来のネットワーク管理ツールがＳＮＭＰネットワーク装置に保守管理を行うときのネットワークモードを説明するための模式図である。
【図２】本発明の実施例によるネットワークの管理方法によりＳＮＭＰネットワーク装置に保守管理を行うときのネットワークモードを説明するための模式図である。
【図３】本発明の実施例による応答パケットのＰＤＵフォームを示す模式図である。
【図４】本発明の実施例によるネットワークの管理方法の処理画面を示す模式図である。
【図５】本発明の実施例によるネットワークの管理方法の処理画面を示す模式図である。
【図１】
0004181325.tif 000002
【図２】
0004181325.tif 000003
【図３】
0004181325.tif 000004
【図４】
0004181325.tif 000005
【図５】
0004181325.tif 000006